(57)【要約】【課題】圧力弁及び安全弁が詰まった状態で、鍋内が加圧され異常圧力になった場合でも安全性の高い炊飯器を提供する。【解決手段】被炊飯物が投入される鍋４と、鍋が収納される収納ケース１４と、鍋が載置されるフランジ１５と、鍋を加熱する加熱手段５と、炊飯を制御する制御部とを有する炊飯器本体２と、炊飯器本体に開閉自在に装着された蓋体３と、蓋体内に設けられ、鍋内の圧力を調節する圧力弁とを備えた炊飯器において、蓋体３は、少なくとも内蓋２２と外蓋２１とにより構成され、外蓋２１は、その周縁にフランジ１５よりも外側に垂下する垂下壁３８を設ける。これにより、炊飯異常時にパッキン３６がはじけて、鍋４と蓋体３との間から高圧蒸気が噴出したときに、蒸気が下方向にのみ噴出される。【選択図】  図３
2010263985.tif 000002
【特許請求の範囲】
【請求項１】
被炊飯物が投入される鍋と、前記鍋が載置されるフランジを備えた前記鍋が収納される収納ケースと、前記鍋を加熱する加熱手段と、炊飯を制御する制御部とを有する炊飯器本体と、該炊飯器本体に開閉自在に枢着された蓋体と、該蓋体内に設けられ、前記鍋内の圧力を調節する圧力弁とを備えた圧力式炊飯器において、
前記蓋体は、少なくとも内蓋と外蓋とにより構成され、該外蓋は周縁に前記フランジの外側に垂下する垂下壁を設けたことを特徴とする圧力式炊飯器。
【請求項２】
前記垂下壁は、前記外蓋の略全周縁に亘って設けられたことを特徴とする請求項１に記載の圧力式炊飯器。
【請求項３】
前記垂下壁は、前記フランジとの間に空隙をもって垂下していることを特徴とする請求項１又は２に記載の圧力式炊飯器。
【請求項４】
前記垂下壁は、前記フランジよりも下方にまで垂設されたことを特徴とする請求項１又は２に記載の圧力式炊飯器。
【請求項５】
前記垂下壁の内壁面は、外方向に向かって開く傾斜を有していることを特徴とする請求項１〜３のいずれかに記載の圧力式炊飯器。
【請求項６】
前記垂下壁は、下端に向かって肉薄になるように形成されていることを特徴とする請求項１〜４のいずれかに記載の圧力式炊飯器。
【発明の詳細な説明】
【技術分野】
【０００１】
本発明は圧力をかけた状態で炊飯を行う圧力式炊飯器に関するもので、詳しくは炊飯時において、異常圧力に対して安全性の高い圧力式炊飯器に関するものである。
【背景技術】
【０００２】
最近では、炊飯中に鍋内を通常の圧力よりも高く昇圧する炊飯器が増えており、それらを圧力式炊飯器と呼んでいる。圧力式炊飯器は、炊飯時に蓋の周囲に設けられたパッキンと鍋の縁とで鍋内を密閉し、密閉した状態で鍋を加熱すると同時に鍋内を昇圧するため、被炊飯物に大気圧以上の圧力がかかるとともに鍋内が高温になるものになっている。そして、昇圧した鍋内の圧力を下げるために、蓋に蒸気口を設け、鍋内の蒸気を外方へ抜くような構成になっている。
【０００３】
しかし、蒸気口に豆の皮などの被炊飯物が詰まり、蒸気口を塞いでしまうと、鍋内の蒸気が外方へ抜けずに、鍋内の圧力が上昇してしまう危険があった。そこで、蒸気口が塞がれても一定以上に圧力が上がらないように蓋に安全弁を設けた構造が開発されている。
【０００４】
圧力式炊飯器では、鍋内の圧力を大気圧以上に昇圧しているため、何重にも安全装置が設けられているが、最終的な安全装置として、パッキンがはじけて、鍋と蓋体との間から圧力を抜くように設計されている。
【０００５】
下記特許文献１に開示されている炊飯器は、図５から図７に示すように、炊飯器本体１０１と、炊飯器本体１０１に収容される鍋１１１と、この鍋１１１の開口部を覆う内蓋１３５を具備する蓋体１０５とを備えた炊飯器において、内蓋１３５に設けられた蒸気連通孔としての開口孔１８７とは別に、鍋１１１内の蒸気を逃がす蒸気逃がし部１４８ａが設けられている。蒸気逃がし部１４８ａは、図６に示すように、蓋パッキン１３７のベース当接部１４９とパッキンベース１３６のシール部対向部１４２との間が一定隙間とならない様に、シール部対向部１４２に凹部１４３を設けることで構成されている。なお、図６は蓋体から取り外した内蓋１３５を鍋１１１と対向する側から見た部分拡大図である。
【０００６】
上記の構成にすると、凹部１４３を設けた部分ではシールが脆弱になり、蓋パッキン１３７とパッキンベース１３６との隙間が他と異なり、炊飯時における鍋１１１の内部圧力の上昇に伴い蓋パッキン１３７に変形が生じた際、凹部１４３を設けた部分のみ他の個所とは変形度合いが異なるため、図７のように部分的に当該シールが崩壊し、蒸気漏れの方向を規定することができる。
【０００７】
そのため、例えば内蓋１３５の開口孔１８７が閉塞するなどの異常時でも、炊飯器本体１０１後方などの危険ではない方向に蒸気の飛び出し方向を設定でき、安全性の高い炊飯器が提供できるというものである。
【先行技術文献】
【特許文献】
【０００８】
【特許文献１】特許第４１３７８９２号公報
【発明の概要】
【発明が解決しようとする課題】
【０００９】
しかし、上記特許文献１の炊飯器では、蒸気口がつまった状態で鍋１１１が加圧されるといった異常時において、蒸気漏れの方向を規定することができても、最終的には横方向に高圧蒸気が噴出されるため、広範囲に蒸気が噴出し、使用者に蒸気や熱湯がかかる恐れがあり、危険であるといった問題があった。
【００１０】
本発明者は、前記問題点を解決すべく種々検討を行った結果、蒸気や熱湯が炊飯器本体と蓋体との間から噴出する際に、横方向に高圧蒸気が噴出されるのではなく、下方向に向かって噴出されるようにし、使用者の安全性を向上させることができる炊飯器として、本発明を完成するに至ったものである。
【００１１】
すなわち、本発明は前記の問題を解決し、より安全な圧力式炊飯器を提供することを目的とするものである。
【課題を解決するための手段】
【００１２】
前記問題を解決するために、本願の請求項１に係る発明は、被炊飯物が投入される鍋と、前記鍋が載置されるフランジを備えた前記鍋が収納される収納ケースと、前記鍋を加熱する加熱手段と、炊飯を制御する制御部とを有する炊飯器本体と、該炊飯器本体に開閉自在に枢着された蓋体と、該蓋体内に設けられ、前記鍋内の圧力を調節する圧力弁とを備えた圧力式炊飯器において、前記蓋体は、少なくとも内蓋と外蓋とにより構成され、該外蓋は周縁に前記フランジの外側に垂下する垂下壁を設けたことを特徴とする。
【００１３】
また、本願の請求項２に係る発明は、請求項１に記載の圧力式炊飯器において、前記垂下壁は、前記外蓋の略全周縁に亘って設けられたことを特徴とする。
【００１４】
また、本願の請求項３に係る発明は、請求項１又は２に記載の圧力式炊飯器において、前記垂下壁は、前記フランジとの間に空隙をもって垂下していることを特徴とする。
【００１５】
また、本願の請求項４に係る発明は、請求項１又は２に記載の圧力式炊飯器において、前記垂下壁は、前記フランジよりも下方にまで垂設されたことを特徴とする。
【００１６】
また、本願の請求項５に係る発明は、請求項１〜３のいずれかに記載の圧力式炊飯器において、前記垂下壁の内壁面は、外方向に向かって開く傾斜を有していることを特徴とする。
【００１７】
また、本願の請求項６に係る発明は、請求項１〜４のいずれかに記載の圧力式炊飯器において、前記垂下壁は、下端に向かって肉薄になるように形成されていることを特徴とする。
【発明の効果】
【００１８】
本発明によれば、圧力式炊飯器の蓋体は、少なくとも内蓋と外蓋とにより構成され、外蓋はその周縁に、被炊飯物を入れる鍋が収納される炊飯器本体の収納ケースのフランジの外側に垂下する垂下壁を設け、フランジを覆うことにより、炊飯時に異常圧力によりパッキンがはじけて、鍋と蓋体との間から高圧蒸気が噴出されたときに、蒸気が下方向に噴出されるので、広範囲に噴出せず、使用者にとってより安全な圧力式炊飯器を提供することができる。
【図面の簡単な説明】
【００１９】
【図１】図１は、本発明に係る圧力式炊飯器の正面図である
【図２】図２は、本発明に係る圧力式炊飯器の外蓋カバーを取った蓋体の上面図である。
【図３】図３は、本発明に係る圧力式炊飯器の横断面図である。
【図４】図４は、図３のＰ部分の拡大図である。
【図５】図５は、従来の炊飯器の縦断面図である。
【図６】図６は、従来の炊飯器が備える内蓋組立の構成を示す断面斜視図である。
【図７】図７は、従来の炊飯器が備える鍋内が加圧状態になったときの蓋パッキンの状態を示す拡大縦断面図である。
【発明を実施するための形態】
【００２０】
以下、図面を参照して、本発明の実施形態を説明する。ただし、以下に示す実施形態は、本発明の技術的思想を具体化するための圧力式炊飯器を例示するものであって、本発明をこの圧力式炊飯器に特定することを意図するものではなく、特許請求の範囲に含まれるその他の実施形態のものにも等しく適用し得るものである。
【実施例】
【００２１】
図１から図４を参照して本発明の実施例に係る圧力式炊飯器について説明する。なお、図１は、本発明の実施例に係る圧力式炊飯器の正面図である。図２は、本発明の実施例に係る圧力式炊飯器の外蓋カバーを取った状態の上面図である。図３は、本発明の実施例に係る圧力式炊飯器の横断面図である。図４は、図３のＰ部分の拡大図である。
【００２２】
１は圧力式炊飯器で、炊飯器本体（以下「本体」という）２と本体２を覆う開閉自在の蓋体３とで構成される。本体２には、被炊飯物が投入される深底の容器からなる鍋４と、上方にこの鍋４が着脱自在に収容される開口部及び内部にこの鍋４を加熱して被炊飯物を炊飯する加熱手段５を有しており、炊飯を制御する制御部（図示省略）と、炊飯メニューを選定するために操作する操作部６と、選定された炊飯メニューを表示する表示部７が正面側に設けてある。
【００２３】
操作部６は、炊飯メニュー選択ボタン８、炊飯スタート／保温ボタン９、予約ボタン１０、取り消しボタン１１、十字キー１２よりなり、これらの操作ボタンを操作して、使用者の好みのメニューで炊飯を行うように設定することができる。
【００２４】
本体２は、有底箱状の外部ケース１３と、この外部ケース１３に収容される収納ケース１４とからなり、外部ケース１３と収納ケース１４との間には隙間が形成され、この隙間に制御部（制御手段）を構成する制御装置（図示省略）が配設されている。収納ケース１４には鍋４が収容される。この鍋４は、上部が開口した例えばアルミニウムとステンレスとのクラッド材で形成されたものである。収納ケース１４の開口部の周縁には外方にフランジ１５が設けられ、フランジ１５には鍋４のフランジ部４ａが載置される。
【００２５】
また、この収納ケース１４は、側壁上面にある鉄よりなる上ケース１７と、側壁下面から底壁にかけて設けた耐熱性樹脂からなる下ケース１６より構成されており、その上ケース１７及び下ケース１６にそれぞれ側面ヒータ１８及び加熱コイル１９が設けられ、底部に鍋底温度を検知するサーミスタ等からなる鍋底温度センサ２０が設けられている。
【００２６】
蓋体３は、外蓋２１と内蓋２２とで構成されており、外蓋２１には耐熱性合成樹脂で形成された枠体２３と、その枠体２３の上下に外蓋カバー２４及び内蓋カバー２５をそれぞれ取り付け、枠体２３を介して外蓋２１に内蓋２２が着脱自在に装着されている。蓋体３は、ヒンジ部材２６を用いて本体２に軸支されており、本体２に開閉自在に枢支されている。また外蓋２１には、内蓋カバー２５に覆われて蓋ヒータ２７が配設されている。外蓋２１には、本体２の前後方向に向かって延びる金属性の補強板２８が設けられ、蓋体３が鍋４内の圧力に耐えられるように強度をもたせている。
【００２７】
また、蓋体３には、圧力弁２９、圧力弁開放機構３０、安全弁（図示省略）、負圧弁（図示省略）、蒸気通路３１、圧力弁から導入される蒸気の温度を検知する蒸気温度センサ（図示省略）などが設けられている。
【００２８】
圧力弁２９は、金属製の調圧ボール３２と、台座３３、孔３５、カバー３４により構成される。圧力弁開放機構３０は、調圧ボール３２を強制的に移動させるソレノイドからなり、制御装置により制御される。すなわち、制御装置からの指令に基づき、電磁コイルが励磁されるとプランジャがシリンダ内に引き込まれ、この引き込みにより調圧ボール３２が自重により台座３３上に戻り、孔３５が調圧ボール３２で閉塞される。また、電磁コイルへの励磁がストップされると、プランジャがバネの付勢力によりシリンダから飛出して、調圧ボール３２を所定方向に押し出す。この押し出しにより、調圧ボール３２は、台座３３上で移動し孔３５を強制的に開放させる。
【００２９】
また、蓋体３には、鍋４内の蒸気圧が所定圧力以上の異常圧力に上昇したとき（例えば、１．２５気圧）に、鍋４内の圧力を外部に逃がす安全弁（図示省略）が設けられている。蓋体３の蒸気通路３１には、圧力弁２９よりも噴出口側の位置に、温度センサである蒸気温度センサ（図示省略）が取り付けられている。
【００３０】
内蓋２２はステンレススチールにより形成され、その外周囲には、鍋のフランジ部４ａと内蓋２２とをシールするゴム製のパッキン３６がプラスチック製の外枠３７に支持されて装着されている。外枠３７には、内蓋２２を枠体２３に装着するための係止部（図示省略）が設けてある。炊飯器本体２内に鍋４を収容して蓋体３で覆うと、パッキン３６は、図４のように、鍋４のフランジ部４ａと密着し、鍋４内が密閉される。パッキン３６は、耐久性、耐熱性に優れているシリコンゴムから形成するのが好ましい。
【００３１】
本発明の圧力炊飯器においては、外蓋２１の枠体２３は、図３、図４に示す通り、収納ケース１４のフランジ１５よりも外方において下方に向かって延設された垂下壁３８を有している。この垂下壁３８は、外蓋２１のヒンジ２６部分を除き、略全周縁に亘って設けられている。垂下壁３８は、その内壁面３９には高圧蒸気がパッキン３６のシールを破って噴出した場合に、蒸気をガイドする円滑面４０を有している。また、垂下壁３８とフランジ１５との間には空隙４１を設けてある。また、垂下壁３８の内壁面３９は、外方向に向かって開く傾斜を有しており、垂下壁３８は、下端に向かって肉薄になるように形成されている。
【００３２】
このような垂下壁３８を備えることによって、鍋４内の圧力が異常上昇し、パッキン３６が図４に点線で図示したようにはじけて、高圧蒸気が鍋４と蓋体３との間から噴出する際（例えば１．３５気圧）に、蒸気は円滑面４０に当たり、方向を変えて空隙４１に沿って下方向に向かって噴出するため、蒸気の噴出範囲が狭くなり、使用者の安全性が向上する。さらにまた、垂下壁３８は、フランジ１５の部分に重なるだけでなく、フランジ１５よりも下方にまで垂設されていると、漏れた蒸気の広がりをより狭く抑えることができる。
【００３３】
また、パッキン３６がはじける位置は、本体２の両側面からであって、正面や後面から噴出することはない。それは、補強板２８が前後方向に設けられているからであり、補強板２８のない部分の左右の枠体２３が、鍋４内の圧力によって変形し、その部分のパッキン３６がはじけて外方へ蒸気が噴出するようになっているためである。そのため、垂下壁３８を設ける部分は、本体左右の補強板２８が配設されていない部分のみであってもよい。
【００３４】
本発明は、被炊飯物が投入される鍋と、鍋が載置されるフランジを備えた収納ケースと、鍋を加熱する加熱手段と、炊飯を制御する制御部とを有する炊飯器本体と、炊飯器本体に開閉自在に枢着された蓋体と、蓋体内に設けられ、鍋内の圧力を調節する圧力弁とを備えた圧力式炊飯器において、蓋体は、少なくとも内蓋と外蓋とにより構成され、外蓋は周縁にフランジの外側に垂下する垂下壁を設けているので、垂下壁がフランジを覆うことにより、炊飯時に異常圧力によりパッキンがはじけて、鍋と蓋体との間から高圧蒸気が噴出されたときに、垂下壁により蒸気が下方向に向けて噴出されるので、広範囲に噴出せず、使用者にとってより安全な圧力式炊飯器を提供することができる。
【符号の説明】
【００３５】
１：圧力式炊飯器
２：炊飯器本体（本体）
３：蓋体
４：鍋
４ａ：フランジ部
５：加熱手段
１５：フランジ
２１：外蓋
２２：内蓋
２３：枠体
２４：外蓋カバー
２５：内蓋カバー
２６：ヒンジ部材
２７：蓋ヒータ
２８：補強板
３６：パッキン
３７：外枠
３８：垂下壁
３９：内壁面
４０：円滑面
４１：空隙
【図１】
2010263985.tif 000003
【図２】
2010263985.tif 000004
【図３】
2010263985.tif 000005
【図４】
2010263985.tif 000006
【図５】
2010263985.tif 000007
【図６】
2010263985.tif 000008
【図７】
2010263985.tif 000009